(57)【要約】【課題】  住宅建物内の空気環境汚染の発生源と、それによる汚染状態を容易に把握でき、その状態を印象づけることができる室内環境展示装置を提供する。【解決手段】  少なくとも一面に透明板が設けられ、住宅建物の一居室を模して形成された気密模型２と、この気密模型２内に配置された汚染空気の発生源であるストーブ３１、タンス３２、洋服タンス３３、殺虫剤３４、灰皿３５および押し入れ３６と、気密模型２の下に設けられ、目視可能な煙を発生する煙発生装置３とを具備し、煙発生装置３は、発生源に連結されて気密模型２内に煙を発生するようになされ、気密模型２の外に設けられたボタン４を操作することによって、気密模型２に設けられた各発生源から煙を発生させたり、煙の発生を停止したりすることができるようになされたものである。【選択図】  図１
2005196041.tif 000002
【特許請求の範囲】
【請求項１】
少なくとも一面に透明板が設けられ、住宅建物の一居室を模して形成された気密模型と、この気密模型内に配置された汚染空気の発生源と、気密模型の下に設けられ、目視可能な煙を発生する煙発生装置とを具備し、
煙発生装置は、発生源に連結されて気密模型内に煙を発生するようになされ、気密模型の外に設けられたボタンを操作することによって、気密模型に設けられた各発生源から煙を発生させたり、煙の発生を停止したりすることができるようになされたことを特徴とする室内環境展示装置。
【発明の詳細な説明】
【技術分野】
【０００１】
本発明は、住宅建物における室内環境を判り易く展示するための装置に関するものである。
【背景技術】
【０００２】
従来より、断熱性と気密性に優れた住宅建物において、住宅建物内に換気装置を設け、計画換気を行う換気構造が提案されている。
【０００３】
この換気構造は、住宅建物内において、居住空間に生じる空気環境汚染の発生源を排除したり、温度差の無い快適な居住環境を構成したりするために設けられていた。
【０００４】
この場合、住宅建物において、どのような空気環境汚染の発生源が存在するかといったことは、住宅建物のカタログに紹介したり、展示住宅に訪れた購入予定者に、口頭で説明したりしていた。そして、この説明によって、換気構造の重要性を理解してもらっていた。
【発明の開示】
【発明が解決しようとする課題】
【０００５】
しかし、このような住宅建物内の空気環境汚染の発生源は、汚染空気自体が目に見えないものであるため、誰にでも判るように容易に説明することができず、住みはじめてその存在に気付くことが多く、容易に理解してもらうことができない。したがって、購入予定者の関心を引くことができず、換気構造の重要性を容易に説明することができず、かつ、容易に理解してもらうこともできないといった不都合を生じることとなる。
【０００６】
また、住宅建物内の空気環境汚染について、カタログに紹介したり、口頭で説明したりする場合、説明に時間がかかって煩わしくなる。
【０００７】
さらに、カタログの紹介や口頭での説明の場合、単に住宅建物内の空気環境汚染が起こっているといった程度の理解にとどまり、それに対処する換気構造を設けることの重要性を印象づけることができないといった不都合を生じることとなる。
【０００８】
本発明は、係る実情に鑑みてなされたものであって、住宅建物内の空気環境汚染の発生源と、それによる汚染状態を容易に把握でき、その状態を印象づけることができる室内環境展示装置を提供することを目的としている。
【課題を解決するための手段】
【０００９】
上記課題を解決するための本発明の室内環境展示装置は、少なくとも一面に透明板が設けられ、住宅建物の一居室を模して形成された気密模型と、この気密模型内に配置された汚染空気の発生源と、気密模型の下に設けられ、目視可能な煙を発生する煙発生装置とを具備し、煙発生装置は、発生源に連結されて気密模型内に煙を発生するようになされ、気密模型の外に設けられたボタンを操作することによって、気密模型に設けられた各発生源から煙を発生させたり、煙の発生を停止したりすることができるようになされたものである。
【発明の効果】
【００１０】
以上述べたように、本発明によれば、ボタンを操作することによって、気密模型に設けられた各発生源から煙を発生させたり、煙の発生を停止したりすることで、気密模型内に煙を充満させて住宅建物内の汚染空気の発生状態と、それによって引き起こされる住宅建物内の空気環境汚染の状況を説明することができる。
【発明を実施するための最良の形態】
【００１１】
以下、本発明の実施の形態を図面を参照して説明する。
【００１２】
図１および図２は室内環境展示装置１の全体構成の概略を示している。
【００１３】
すなわち、この室内環境展示装置１は、リビングルームを模した気密模型２と、気密模型２内に設けられたストーブ３１、タンス３２、洋服タンス３３、殺虫剤３４、灰皿３５および押し入れ３６と、煙発生装置３とを具備し、ボタン４の操作によって、気密模型２内に設けられたストーブ３１、タンス３２、洋服タンス３３、殺虫剤３４、灰皿３５および押し入れ３６の各設備から、煙発生装置３からの煙を発生させたり、煙の発生を停止したりすることができるようになされている。
【００１４】
気密模型２は、一辺が約１ｍ程度の大きさの直方体形状に形成され、正面となる側壁面２１と、これに隣接する側壁面２２とが、透明の樹脂板によって形成されている。残りの二側壁面２３，２４と、天井面２５と、床面２６とは、それぞれリビングルームの内壁、天井、床を模すように形成され、気密模型２内は、リビングルームを形成するように組み立てられている。
【００１５】
この気密模型２内のリビングルームには、ストーブ３１、タンス３２、洋服タンス３３、殺虫剤３４、灰皿３５、押し入れ３６、ソファーセット３７などが、それぞれ設けられている。この気密模型２内に設けられた上記各設備のうち、汚染空気の発生源としては、着火時などに不完全燃焼を起こし易いストーブ３１、組立時の接着剤の使用によりホルムアルデヒドの検出が認められるタンス３２、防虫剤を設けた洋服タンス３３、リビングルームで使用される殺虫剤３４、リビングルームで吸われるタバコの煙、防カビ剤を設けた押し入れ３６が挙げられる。
【００１６】
煙発生装置３は、気密模型２を設けた基台２０内に設けるようになされている。この煙発生装置は、液体窒素やドライアイスなどを利用して煙発生器３ａから発生させた白煙を、ファン３ｂを利用して送り出し、開閉バルブ３ｃを介してそれぞれストーブ３１、タンス３２、洋服タンス３３、殺虫剤３４、灰皿３５、押し入れ３６の各位置へ導くようにライン３ｄが設けられている。
【００１７】
この煙発生装置３は、気密模型２の前面に設けられたボタン４と各開閉バルブ３ｃとが連動するようになされており、ボタン４を押すと、押したボタン４に対応した開閉バルブ３ｃが所定時間だけ開いて、その開閉バルブ３ｃに対応するストーブ３１、タンス３２、洋服タンス３３、殺虫剤３４、灰皿３５、押し入れ３６の何れかから、気密模型２内に白煙を発生する。ボタン４は、個々の開閉バルブ３ｃを所定時間開くようになされたものと、全ての開閉バルブ３ｃを所定時間開くようになされたものと、全ての開閉バルブ３ｃを閉じるようになされたものとからなる。したがって、説明の過程で、ストーブ３１、タンス３２、洋服タンス３３、殺虫剤３４、灰皿３５、押し入れ３６の個々から白煙を発生させることができるし、全てから白煙を発生させることができるし、また発生している白煙を止めることもできる。
【００１８】
この白煙を発生する際、ストーブ３１は、熱風の吹き出し口から白煙を発生するようになされている。
【００１９】
タンス３２は、タンス３２内に内臓された駆動装置３２ａによって一つの引出し３２ｂを開き、その引出し３２ｂから白煙を発生するようになされている。
【００２０】
洋服タンス３３は、洋服タンス３３内に内臓された駆動装置３３ａによって扉３３ｂが開き、この扉３３ｂ内から白煙を発生するようになされている。
【００２１】
殺虫剤３４は、殺虫剤の吹き出し口から白煙を発生するようになされている。
【００２２】
灰皿３５は、灰皿３５上に設けられた模型のタバコ（図示省略）の先端部から白煙を発生するようになされている。
【００２３】
押し入れ３６は、押し入れ３６内に内臓された駆動装置３６ａによってふすま３６ｂが開き、このふすま３６ｂ内から白煙を発生するようになされている。
【００２４】
このようにして構成される室内環境展示装置１は、住宅展示棟内に設置される。
【００２５】
住宅展示棟に見学者が訪れた場合に、この室内環境展示装置１の前へ導いてリビングルームの空気環境汚染について説明する。この際、リビングルームにおける汚染空気の発生源であるストーブ３１、タンス３２、洋服タンス３３、殺虫剤３４、灰皿３５、押し入れ３６のそれぞれから、汚染空気が発生されていることを判り易く説明するために、これらストーブ３１、タンス３２、洋服タンス３３、殺虫剤３４、灰皿３５、押し入れ３６のそれぞれに対応するボタン４を押して、各汚染源から気密模型２内に白煙を発生させる。これによってリビングルームの汚染空気の発生源にはどのようなものがあるかを説明したり、また、この汚染空気によって形成される汚染環境から住宅建物内に換気構造が必要であることを強烈にアピールすることができる。したがって、見学者に容易に説明することができるとともに、容易に理解してもらえることとなる。
【００２６】
このような汚染環境は、汚染空気自体が目視できないものであるため、実際に居住して体験しなければ安易に考えがちであるが、目視できる白煙の状態で気密模型２内に発生させることで、状況を目視できるより現実的な状態に再現して説明することができる。
【００２７】
また、白煙は、液体窒素やドライアイスなどで形成したものであるため、経時的に自然に消えてしまう。したがって、室内環境展示装置１の構成自体も簡単にすることができ、しかも、気密模型２から白煙が漏れ出るようなことがあっても、悪臭を感じることなく安全である。
【００２８】
また、気密模型２は、二つの側壁面２１、２２が透明板によって形成されているので、二方向から取り囲むようにして大勢の見学者に説明することができる。大勢の見学者に説明するといった意味では、三つの側壁面２１、２２、２３または全ての側壁面２１、２２、２３、２４が透明板によって形成されたものであってもよいが、この場合、気密模型２によって再現されるリビングルームのリアルさが無くなってしまう。一方、一つの側壁面２１だけが透明板によって形成されたものの場合、一方向からしか見学者が見学できない。したがって、大勢の見学者に説明することができ、しかもリアルな気密模型２を形成するといった意味では、二つの側壁面２１、２２が透明板によって形成されたものが最も好ましい。
【００２９】
なお、本実施の形態において、室内環境展示装置１は、気密模型２内をリビングルームとしているが、住宅建物全体、住宅建物の一階部分、住宅建物の二階部分などの単位で構成されたものであってもよい。また、部屋単位の場合も、リビングルームとダイニングルーム、リビングルームと和室といった具合に二室で構成されたものであってもよいし、リビングルームとダイニングルームとキッチン、リビングルームと和室とキッチンといった具合に３室以上で構成されたものであってもよい。
【００３０】
また、本実施の形態において、煙発生装置３は、ドライアイスや液体窒素を利用したものを用いているが、線香の煙などを利用するものであってもよい。
【００３１】
さらに、本実施の形態において、汚染空気の発生源は、ストーブ３１、タンス３２、洋服タンス３３、殺虫剤３４、灰皿３５、押し入れ３６のそれぞれとしているが、この汚染空気の発生源は、これらに限定されるものでは無く、部屋の構成によって個々に異なるので、部屋の構成に応じて適宜決定される。
【産業上の利用可能性】
【００３２】
住宅建物の構造説明および販売促進を図る装置として利用できる。
【図面の簡単な説明】
【００３３】
【図１】本発明に係る室内環境展示装置の全体構成の概略を示す斜視図である。
【図２】（ａ）および（ｂ）は図１に示す室内環境展示装置の煙発生装置を説明する概略正面図および側面図である。
【符号の説明】
【００３４】
１  室内環境展示装置
２  気密模型
２１  側壁面（透明板）
２２  側壁面（透明板）
３  煙発生装置
３１  ストーブ（煙発生源）
３２  タンス（煙発生源）
３３  洋服タンス（煙発生源）
３４  殺虫剤（煙発生源）
３５  灰皿（煙発生源）
３６  押し入れ（煙発生源）
４  ボタン
【図１】
2005196041.tif 000003
【図２】
2005196041.tif 000004